(57)【特許請求の範囲】
【請求項１】
建物の外壁内に設けられて室内側と室外側を連通するダクト内に嵌挿される本体筒部と、前記本体筒部の室外側端部に支持部材を介して室外に設けられる遮蔽部とを備え、前記本体筒部の室外側開口部の周縁に、前記室外側に突出させてひさしを取付け自在としたものであって、前記ひさしは、ひさし板が複数枚重ねて設けられ、その重なり量を増減して前記室外側開口部の前記周縁方向に伸縮自在としたことを特徴とする換気用ベントキャップ。
【請求項２】
建物の外壁内に設けられて室内側と室外側を連通するダクト内に嵌挿される本体筒部と、前記本体筒部の室外側端部に支持部材を介して室外に設けられる遮蔽部とを備え、前記本体筒部の室外側開口部の周縁に、前記室外側に突出させてひさしを取付け自在とし、前記ひさしは、断面形状が円弧状のひさし部と、前記ひさし部の円弧方向に直交する方向の一端部に直角に折曲形成し、複数の穴を有した固定部とからなり、前記ひさしを、前記固定部の穴に固定手段を通して前記本体筒部の前記室外側開口部の前記周縁に取付け自在としたものであって、前記ひさしは、ひさし板が複数枚重ねて設けられ、その重なり量を増減して前記室外側開口部の前記周縁方向に伸縮自在としたことを特徴とする換気用ベントキャップ。
【請求項３】
建物の外壁内に設けられて室内側と室外側を連通するダクト内に嵌挿される本体筒部と、前記本体筒部の室外側端部に支持部材を介して室外に設けられる遮蔽部とを備え、前記本体筒部の室外側開口部の周縁に、前記室外側に突出させてひさしを取付け自在とし、前記ひさしは、断面形状が円弧状のひさし部と、前記ひさし部の円弧方向に直交する方向の一端部に直角に折曲形成し、複数の穴を有した固定部とからなり、前記ひさしを、前記固定部の穴に固定手段を通して前記本体筒部の前記室外側開口部の前記周縁に取付け自在とし、前記固定手段をドリルねじとしたものであって、前記ひさしは、ひさし板が複数枚重ねて設けられ、その重なり量を増減して前記室外側開口部の前記周縁方向に伸縮自在としたことを特徴とする換気用ベントキャップ。
【発明の詳細な説明】
【技術分野】
【０００１】
本発明は、住宅等の室内空気を室外に換気するときに、建物の外壁部分に設置される換気用ベントキャップに関する。
【背景技術】
【０００２】
従来、この種の換気用ベントキャップとして、室外側に風雨の吹き込みを防止する遮蔽板を設けた換気用ベントキャップが知られている（例えば、特許文献１参照）。
【０００３】
以下、その換気用ベントキャップについて図８を参照しながら説明する。
【０００４】
図に示すように、建物の壁１０１に設けられた通風口に装着され、室内１０２と室外１０３を連通する開口を有するダクト接続部１０４と、このダクト接続部１０４の室外１０３側に延設された取付部１０５に前記ダクト接続部１０４の開口に連通する開口を有し、この取付部１０５の開口の周辺に複数の支脚１０６を設けた本体１０７と、この本体１０７の支脚１０６に取り付けられた風雨侵入防止の防風板１０８とで構成され、壁１０１に取り付けられた時、前記本体１０７の上方部となる箇所に整流手段１０９を設けている換気用ベントキャップ１１０の構成となっている。
【特許文献１】特開平１１−１３２５１３号公報（００８段落、図８）
【発明の開示】
【発明が解決しようとする課題】
【０００５】
このような従来の換気用ベントキャップ１１０において、特許文献１に記載された換気用ベントキャップ１１０では、換気をすると、取付部１０５の開口から排出される排気流は開口の正面にある防風板１０８に当り、防風板１０８と本体１０７の間から上下左右に排出される。本体１０７の上部へ流れる排気流は上方に整流手段１０９が設けられているため、排気流は整流手段１０９の先端で絞られるとともに整流手段１０９の上面付近の空間部１１１が負圧になって、排気流はこの空間部１１１に巻き込まれて上方への吹出しが弱くなって流れ、軒天井１１２に届かず、軒天井１１２を汚すのをいくらかは低減できる。しかし、防風板１０８の上方部において、軒天井１１２に対し垂直に向かう風が発生しているため、換気用ベントキャップ１１０が軒天井１１２の近くに設置されたときは、防風板１０８に当たり軒天井１１２に垂直に向かう排気流によって軒天井１１２が汚れてしまう。
【０００６】
また、整流手段１０９が防風板１０８の外周より内側に位置しているため、空間部１１１に風が巻き込まれる現象が発生し、排気流は壁１０１に向かっても流れ、換気用ベントキャップ１１０の上方の壁面１０１ａが汚れてしまうという課題があった。
【０００７】
そして、換気用ベントキャップ１１０がマンション等のベランダ側に設置される場合には、その設置位置は軒天井１１２近傍に設置されることや、隣との仕切壁（図示せず）の近傍に設置されることがある。この場合には、換気用ベントキャップ１１０から排出される空気が軒天井１１２や、仕切壁に垂直に向かう風であるため、室内換気をする際に、換気用ベントキャップ１１０から排出される排気流が汚れていると、軒天井１１２等の壁が汚れてしまうという事態が起こっていた。
【０００８】
本発明は、このような従来の課題を解決するものであり、換気用ベントキャップの設置壁の近傍に軒天井や仕切壁等がある場合、換気用ベントキャップから排出される空気によってその壁が汚れるのを防止することができる換気用ベントキャップを提供することを目的とする。
【課題を解決するための手段】
【０００９】
本発明の換気用ベントキャップは、上記目的を達成するために、建物の外壁内に設けられて室内側と室外側を連通するダクト内に嵌挿される本体筒部と、前記本体筒部の室外側端部に支持部材を介して室外に設けられる遮蔽部とを備えた換気用ベントキャップであって、前記本体筒部の室外側開口部の周縁に、室外側に突出させてひさしを取付け自在としたものである。
【００１０】
また、他の手段は、ひさしは、断面形状が円弧状のひさし部と、前記ひさし部の円弧方向に直交する方向の一端部に直角に折曲形成し、複数の穴を有した固定部とからなり、前記ひさしを、前記固定部の穴に固定手段を通して本体筒部の室外側開口部の周縁に取付け自在としたものである。
【００１１】
また、他の手段は、固定手段をドリルねじとしたものである。
【００１２】
また、他の手段は、ひさしは、ひさし板が複数枚重ねて設けられ、その重なり量を増減して室外側開口部の周縁方向に伸縮自在としたものである。
【００１３】
また、他の手段は、ひさしは、断面形状が弧長の短い円弧状のひさし支持部と、前記ひさし支持部の円弧方向に直交する方向の一端部に直角に折曲形成し、複数の穴を有した固定部と、前記ひさし支持部に接合して支持された蛇腹からなるひさし部とからなり、室外側開口部の周縁方向に伸縮自在としたものである。
【００１４】
また、他の手段は、ひさし部を形成する蛇腹をアルミ製としたものである。
【発明の効果】
【００１５】
本発明によれば、建物の外壁内に設けられて室内側と室外側を連通するダクト内に嵌挿される本体筒部の室外側開口部の周縁に、室外側に突出させてひさしを取付け自在としたことにより、換気用ベントキャップを設置した外壁の近傍に軒天井、仕切壁などがある場合は、現場でその方向にひさしを取り付けて、軒天井、仕切壁等への排気風を抑制し、壁汚れを防止することができるという効果のある換気用ベントキャップを提供することができる。
【００１６】
また、ひさしは、断面形状が円弧状のひさし部と、ひさし部の円弧方向に直交する方向の一端部に直角に折曲形成し、複数の穴を有した固定部とからなり、ひさしを、固定部の穴に固定手段を通して本体筒部の室外側開口部の周縁に取付け自在としたことにより、換気用べントキャップを設置した外壁の近傍に軒天井、仕切壁などがある場合、現場で、その方向にひさしを取り付けて壁汚れ防止の対応を容易にできる。
【００１７】
また、固定手段をドリルねじとしたことにより、壁汚れ防止ができる適切な位置に、自在にひさしを取り付けることができることとなる。
【００１８】
また、ひさしは、ひさし板が複数枚重ねて設けられ、その重なり量を増減して室外側開口部の周縁方向に伸縮自在としたことにより、軒天井、仕切壁等が汚れないようにすることと、長さの異なる何種類かのひさしを用意することなく、１組のひさしで、近傍に位置する軒天井、仕切壁等の状況に応じて、ひさしを適切な長さに調整して対応できる。
【００１９】
また、ひさしは、断面形状が弧長の短い円弧状のひさし支持部と、前記ひさし支持部の円弧方向に直交する方向の一端部に直角に折曲形成し、複数の穴を有した固定部と、前記ひさし支持部に接合して支持された蛇腹からなるひさし部とからなり、室外側開口部の周縁方向に伸縮自在としたことにより、近傍に位置する軒天井、仕切壁等の状況に応じて、ひさしの適切な長さに調整することが、簡単な構成で達成できる。
【００２０】
また、ひさし部を形成する蛇腹をアルミ製としたことにより、換気用ベントキャップ設置時の施工性が向上し、また、安価な製品を提供できる。
【発明を実施するための最良の形態】
【００２１】
本発明の換気用ベントキャップは、建物の外壁内に設けられて室内側と室外側を連通するダクト内に嵌挿される本体筒部の室外側開口部の周縁に、室外側に突出させてひさしを取付け自在としたものであり、室内から換気によって排出される排気風は、本体筒部を通り室外側開口部から排出されると、遮蔽部と本体筒部の室外側開口部との間から室外に排出されるが、近傍に軒天井、仕切壁等がある場合は、現場でその方向にひさしを取り付けて、空気が流れない構成にすることができることとなる。
【００２２】
また、ひさしは、断面形状が円弧状のひさし部と、前記ひさし部の円弧方向に直交する一方向の端部に直角に折曲形成し、複数の穴を有した固定部とからなり、前記ひさしを、前記固定部の穴に固定手段を通して本体筒部の室外側開口部の周縁に取付け自在としたものであり、換気用ベントキャップの設置箇所の近傍に軒天井、仕切壁等があって、その方向にひさしが必要な場合、固定手段をひさしの固定部の穴に通して、ひさしを換気用ベントキャップに容易に取り付けることができる。
【００２３】
また、固定手段をドリルねじとしたものであり、ドリルねじにより、換気用ベントキャップに下穴がなくとも、回転して本体筒部の室外側開口部の周縁にねじ穴をあけながら、ひさしを固定することができる。
【００２４】
また、ひさしは、ひさし板が複数枚重ねて設けられ、その重なり量を増減して室外側開口部の周縁方向に伸縮自在としたものであり、ひさしは、近傍の軒天井、仕切壁等の汚れを防止できる適切な長さにひさしを伸ばす、あるいは縮めて取り付けることができる。
【００２５】
また、ひさしは、断面形状が弧長の短い円弧状のひさし支持部と、前記ひさし支持部の円弧方向に直交する方向の一端部に直角に折曲形成し、複数の穴を有した固定部と、前記ひさし支持部に接合して支持された蛇腹からなるひさし部とからなり、室外側開口部の周縁方向に伸縮自在としたものであり、ひさしを伸縮して適切な長さに設定することが、蛇腹という簡単な構成で自在にできることとなる。
【００２６】
また、ひさし部を形成する蛇腹をアルミ製としたものであり、ひさしが軽いものとなって、本体筒部への取付が容易となり、また、製品コストを低減できる。
【００２７】
以下、本発明の実施の形態について、図面を参照しながら説明する。
【００２８】
（実施の形態１）
本発明の実施の形態１の換気用ベントキャップは、図１〜図４に示すように、建物の外壁１内に設けられて室内２側と室外３側を連通するダクト４内に嵌挿される本体筒部５と、本体筒部５の室外側端部６に支持部材７を介して室外３に設けられる遮蔽部８とを備えた構成であって、本体筒部５の室外側開口部１０の周縁１１に、室外３側に突出させてひさし１２を取付け自在となる構成としている。
【００２９】
そして、ひさし１２は、断面形状が円弧状のひさし部１２ａと、ひさし部１２ａの円弧方向に直交する方向（図１における左右方向）の一端部に直角に折曲形成し、複数の穴１２ｂを有した固定部１２ｃとからなり、固定部１２ｃの穴１２ｂに固定手段であるドリルねじ１３を通して、本体筒部５の室外側開口部１０の周縁１１に自在に取付けられる。
【００３０】
上記構成において、室内２から換気によって排出される排気風は、本体筒部５を通り、室外側開口部１０から排出されると、遮蔽部８と本体筒部５の室外側開口部１０との間から室外３に排出されるが、換気用ベントキャップ９を設置する外壁１の近傍に軒天井１４がある場合には、ひさし１２を換気用ベントキャップ９の上部に取り付けて、排気風を換気用ベントキャップ９の上部から流れないようにできる。換気用ベントキャップ９の上部がひさし１２によって遮られているので、排気風は軒天井１４の方向には流れなくなり、排気風が汚れている場合でも、軒天井１４が汚れることがない。
【００３１】
また、換気用ベントキャップ９を設置する外壁１の近傍に隣との仕切壁１５がある場合には、換気用ベントキャップ９における仕切壁１５のある方向にひさし１２を取り付け、排気風を仕切壁１５がある側に流れないようにできる。換気用ベントキャップ９の仕切壁１５がある側はひさし１２によって遮られているので、排気風は仕切壁１５の方向には流れなくなり、汚れた空気が仕切壁１５に当たることがないため、仕切壁１５が汚れるのを防止できる。
【００３２】
ところで、従来の換気用ベントキャップは、ひさし１２を設けていないものが主流であった。したがって、換気用ベントキャップを設置する外壁１の近傍に軒天井１４または仕切壁１５がある場合には、換気用ベントキャップ設置後、数年を経過すると、軒天井１４や仕切壁１５が排気風によって汚れてしまうというケースがでてきていた。このような場合は、既設の換気用ベントキャップを外壁１から外して、ひさし付の換気用ベントキャップに付け替える必要があったが、この工事は大掛かりな工事となってしまうため、付け替えが困難な上に、その工事に関わる高い費用もかかるという課題があった。
【００３３】
本発明の実施の形態１の換気用ベントキャップ９では、既に設置された換気用ベントキャップを外すことなく、既設の換気用ベントキャップに対しひさし１２を取り付けるだけの工事ですむので、その工事は容易にできることとなる。そして、既設の換気用ベントキャップにひさし１２をつける工事は、具体的には、ひさし１２を取り付けたい換気用ベントキャップの位置にひさし１２の固定部１２ｃをあてがい、固定部１２ｃの穴１２ｂにドリルねじ１３を通して換気用ベントキャップに取り付けるものであるが、固定手段であるドリルねじ１３は、先端が尖っていて、下穴を必要としないねじであるので、既設の換気用ベントキャップにねじ用の下穴がなくとも、換気用ベントキャップにひさし１２を容易に取り付けることができる。また、換気用ベントキャップに下穴を必要としないので、ひさし１２は換気用ベントキャップの周方向のどの位置にも設置することができ、壁汚れ防止を図りたい適切な位置に、自在にひさし１２を取り付けることができる。
【００３４】
（実施の形態２）
図５および６に示すように、本発明の実施の形態２の換気用ベントキャップ９Ａは、上記実施の形態１の換気用ベントキャップ９に対し、ひさし１２Ａのひさし部１２ａが、複数枚のひさし板１２ａ1、１２ａ2、１２ａ3を重ねてなり、その重なり量を増減して本体筒部５の室外側開口部１０の周縁１１方向に伸縮自在に構成された点に特徴がある。
【００３５】
この構成を詳述すると、ひさし板１２ａ1、１２ａ2、１２ａ3の表面側に溝１２ｄと、裏面側に溝１２ｄに回動自在に係合する凸形のレール部１２ｅが設けられ、ひさし板１２ａ1、１２ａ2、１２ａ3が一部重合して配設され、これらひさし板１２ａ1、１２ａ2、１２ａ3は円弧方向にその重なり量を増減でき、全体として室外側開口部１０の周縁１１方向に伸縮自在として構成されている。
【００３６】
上記構成において、ひさしのない換気用ベントキャップが既に設置されている場所が、軒天井１４および仕切壁１５の近傍である場合には、まず、換気用ベントキャップから排出される汚れた排気風が軒天井１４および仕切壁１５側に流れないように、換気用ベントキャップにおけるひさし１２Ａの取り付けしたい位置に固定部１２ｃをあてがい、固定部１２ｃの穴１２ｂにドリルねじ１３を通して換気用ベントキャップに固定する。次に、排気風が軒天井１４および仕切壁１５側に流れないように、ひさし板１２ａ1、１２ａ2、１２ａ3を下側のひさし板１２ａ1、１２ａ2上をスライドするように回動させ、その重なり量を増減して、必要な方向へひさし部１２ａを伸ばすことができる。また、ひさし部１２ａは本実施の形態２の３枚のように多数枚とすることにより、個々のひさし板１２ａ1、１２ａ2、１２ａ3の周長さを短くし、さらに、これらのひさし板１２ａ1、１２ａ2、１２ａ3を完全に重ねることで、コンパクトに収納でき、ひさし１２Ａを現場に発送する際に小さい梱包才数で発送することができる。また、ひさし１２Ａがコンパクトになるので、メーカの商品在庫保管上でも好ましい。
【００３７】
（実施の形態３）
図７に示すように、本発明の実施の形態３の換気用ベントキャップ９Ｂにおけるひさし１６は、断面形状が弧長の短い円弧状のひさし支持部１６ａと、ひさし支持部１６ａの円弧方向に直交する方向の一端部に直角に折曲形成し、複数の穴１６ｂを有した固定部１６ｃと、ひさし支持部１６ａに接合して支持された蛇腹１６ｄとからなり、蛇腹１６ｄは、アルミ製で、ひさし支持部１６ａの円弧方向、すなわち本体筒部５の室外側開口部１０の周縁１１方向に伸縮自在としている。
【００３８】
上記構成において、ひさしのない換気用ベントキャップが既に設置されている場所が軒天井１４および仕切壁１５の近傍である場合には、まず、換気用ベントキャップから排出される汚れた排気風が軒天井１４および仕切壁１５側に流れないように、換気用ベントキャップ９におけるひさし１６の取り付けたい位置にひさし１６の固定部１６ｃをあてがい、固定部１６ｃの穴１６ｂにドリルねじ１３を通して換気用ベントキャップに固定する。次に、排気風が軒天井１４および仕切壁１５側に流れないように、蛇腹１６ｄをひさし支持部１６ａの円弧方向に伸ばして必要な方向および長さにすることで、汚れた排気風が軒天井１４および仕切壁１５の方向に流れるのを防ぎ、軒天井１４および仕切壁１５が汚れるのを防止できる。
【００３９】
また、ひさし１６は蛇腹１６ｄを縮めておくことで、コンパクトに収納することができ、ひさし１６を現場に発送する際に小さい梱包才数で発送することができる。
【００４０】
また、ひさし１６がコンパクトになるので、メーカの商品在庫保管上でも好ましい。
【００４１】
また、ひさし１６はアルミ製であり、軽いので、ひさし１６設置時の施工性が向上し、また安価な製品を提供できる。
【産業上の利用可能性】
【００４２】
本発明にかかる換気用ベントキャップは、現場で自由にひさしが取り付けられ、軒天井、仕切壁等への排気風を抑制し、壁汚れを防止することができるので、建物の外壁に装着される換気用ベントキャップとして有用である。
【図面の簡単な説明】
【００４３】
【図１】本発明の実施の形態１の換気用ベントキャップの設置状態を示す断面図
【図２】同換気用ベントキャップにひさしを取り付ける状態を示す斜視図
【図３】同換気用ベントキャップにひさしを取り付けた後の状態を示す斜視図
【図４】同換気用ベントキャップ設置場所を示す正面図
【図５】本発明の実施の形態２の換気用ベントキャップにひさしを取り付ける状態を示す斜視図
【図６】同換気用ベントキャップにひさしを取り付けた後の状態を示す断面図
【図７】本発明の実施の形態３の換気用ベントキャップにひさしを取り付ける状態を示す斜視図
【図８】従来の換気用ベントキャップの構成を示す断面図
【符号の説明】
【００４４】
１        外壁
２        室内
３        室外
４        ダクト
５        本体筒部
６        室外側端部
７        支持部材
８        遮蔽部
９        換気用ベントキャップ
９Ａ      換気用ベントキャップ
９Ｂ      換気用ベントキャップ
１０      室外側開口部
１１      周縁
１２      ひさし
１２Ａ    ひさし
１２ａ    ひさし部
１２ａ1   ひさし板
１２ａ2   ひさし板
１２ａ3   ひさし板
１２ｂ    穴
１２ｃ    固定部
１３      ドリルねじ
１６      ひさし
１６ａ    ひさし支持部
１６ｂ    穴
１６ｃ    固定部
１６ｄ    蛇腹
【図１】
0005245501.tif 000002
【図２】
0005245501.tif 000003
【図３】
0005245501.tif 000004
【図４】
0005245501.tif 000005
【図５】
0005245501.tif 000006
【図６】
0005245501.tif 000007
【図７】
0005245501.tif 000008
【図８】
0005245501.tif 000009